(57)【特許請求の範囲】
【請求項１】
基地局により、移動局の無線アクセス技術機能に関する情報の要求を送信するステップと、
前記基地局により、前記要求に応じて前記移動局の無線アクセス技術機能に関する情報を含むメッセージを受信するステップであり、前記メッセージに含まれる前記情報は、前記移動局が前記基地局と前記移動局との間の無線リンクで通信するために前記移動局により使用可能な少なくとも２つの異なる種類の無線アクセス技術をサポートすることを指定するステップと、
前記基地局により、前記移動局が前記少なくとも２つの異なる種類の無線アクセス技術のうちどれを使用するかを制御するステップと、を有し、
前記制御するステップは、前記基地局が、前記少なくとも２つの異なる種類の無線アクセス技術をリストにしたレコードと、前記少なくとも２つの異なる種類の無線アクセス技術のうちそれぞれ対応するものを有効化又は無効化するための有効状態又は無効状態に設定可能な関連するフィールドとを含む第２のメッセージを前記移動局に送信することを含む、方法。
【請求項２】
前記少なくとも２つの異なる種類の無線アクセス技術は、EUTRA（Evolved  Universal  Terrestrial  Radio  Access）技術、UMTS（Universal  Mobile  Telecommunications  System）技術、CDMA（Code  Division  Multiple  Access）技術、GSM（Global  System  for  Mobile）技術、WiMAX（Worldwide  Interoperability  for  Microwave  Access）技術、WLAN（Wireless  Local  Area  Network）技術、EDGE（Enhanced  Data  Rates  for  GSM  Evolution）技術、及びHRPD（High  Rate  Packet  Data）技術を有するグループから選択される、請求項１に記載の方法。
【請求項３】
前記基地局が、複数の種類の無線アクセス技術と、対応する複数の種類の無線アクセス技術の割り当てられた機能とを識別するリストを前記移動局に送信するステップを更に有し、
前記割り当てられた機能は、音声のみ、VoIP（voice-over-Internet  Protocol）が許可されないこと、VoIPが許可されることの中から選択される、請求項１に記載の方法。
【請求項４】
前記要求の送信は、前記移動局に関して実行されるプロビジョニング手順の一部である、請求項１に記載の方法。
【請求項５】
マルチモード移動局により、前記移動局の無線アクセス技術機能に関する情報の要求を基地局から受信するステップと、
前記要求に応じて、前記移動局から前記基地局に、前記移動局の無線アクセス技術機能に関する情報を含むメッセージを送信するステップであり、前記メッセージに含まれる前記情報は、前記移動局が前記移動局と前記基地局との間の無線リンクで通信するために前記移動局により使用可能な少なくとも２つの異なる種類の無線アクセス技術をサポートすることを指定するステップと、
前記移動局により、前記移動局が前記少なくとも２つの異なる種類の無線アクセス技術のうちどれを使用するかを制御する制御メッセージを前記基地局から受信するステップと、を有し、
前記受信した制御メッセージは、前記少なくとも２つの異なる種類の無線アクセス技術をリストにしたレコードと、前記少なくとも２つの異なる種類の無線アクセス技術のうちそれぞれ対応するものを有効化又は無効化するための有効状態又は無効状態に設定可能な関連するフィールドとを含む、方法。
【請求項６】
前記受信した制御メッセージは、前記少なくとも２つの異なる種類の無線アクセス技術のうち全てが前記移動局による使用のために有効化されることを指定する、請求項５に記載の方法。
【請求項７】
前記受信した制御メッセージは、前記少なくとも２つの異なる種類の無線アクセス技術のうち少なくとも１つが前記移動局による使用から無効化されることを指定する、請求項５に記載の方法。
【請求項８】
前記少なくとも２つの異なる種類の無線アクセス技術は、EUTRA（Evolved  Universal  Terrestrial  Radio  Access）技術、UMTS（Universal  Mobile  Telecommunications  System）技術、CDMA（Code  Division  Multiple  Access）技術、GSM（Global  System  for  Mobile）技術、WiMAX（Worldwide  Interoperability  for  Microwave  Access）技術、WLAN（Wireless  Local  Area  Network）技術、EDGE（Enhanced  Data  Rates  for  GSM  Evolution）技術、及びHRPD（High  Rate  Packet  Data）技術を有するグループから選択される、請求項５に記載の方法。
【請求項９】
前記移動局が、複数の種類の無線アクセス技術と、対応する複数の種類の無線アクセス技術の割り当てられた機能とを識別するリストを前記基地局から受信するステップを更に有し、
前記割り当てられた機能は、音声のみ、VoIP（voice-over-Internet  Protocol）が許可されないこと、VoIPが許可されることの中から選択される、請求項５に記載の方法。
【請求項１０】
移動局と無線通信するインタフェースと、少なくとも１つのプロセッサとを有する基地局であって、
前記少なくとも１つのプロセッサは、
移動局の無線アクセス技術機能に関する情報の要求を移動局に送信し、
前記要求に応じて前記移動局の無線アクセス技術機能に関する情報を含むメッセージを前記移動局から受信し、ただし、前記メッセージに含まれる前記情報は、前記移動局が前記基地局と前記移動局との間の無線リンクで通信するために前記移動局により使用可能な複数の異なる種類の無線アクセス技術をサポートすることを指定し、
前記移動局が前記複数の異なる種類の無線アクセス技術のうちどれを使用するかを制御するように構成され、
前記移動局が前記複数の異なる種類の無線アクセス技術のうちどれを使用するかを制御するために、前記少なくとも１つのプロセッサは、前記複数の異なる種類の無線アクセス技術をリストにしたレコードと、前記複数の異なる種類の無線アクセス技術のうちそれぞれ対応するものを有効化又は無効化するための有効状態又は無効状態に設定可能な関連するフィールドとを含む第２のメッセージを前記移動局に送信するように構成される、基地局。
【請求項１１】
前記複数の異なる種類の無線アクセス技術は、EUTRA（Evolved  Universal  Terrestrial  Radio  Access）技術、UMTS（Universal  Mobile  Telecommunications  System）技術、CDMA（Code  Division  Multiple  Access）技術、GSM（Global  System  for  Mobile）技術、WiMAX（Worldwide  Interoperability  for  Microwave  Access）技術、WLAN（Wireless  Local  Area  Network）技術、EDGE（Enhanced  Data  Rates  for  GSM  Evolution）技術、及びHRPD（High  Rate  Packet  Data）技術を有するグループから選択される、請求項１０に記載の基地局。
【請求項１２】
前記少なくとも１つのプロセッサは、複数の種類の無線アクセス技術と、対応する複数の種類の無線アクセス技術の割り当てられた機能とを識別するリストを前記移動局に更に送信するように構成され、
前記割り当てられた機能は、音声のみ、VoIP（voice-over-Internet  Protocol）が許可されないこと、VoIPが許可されることの中から選択される、請求項１０に記載の基地局。
【請求項１３】
基地局と無線通信するインタフェースと、少なくとも１つのプロセッサとを有する移動局であって、
前記少なくとも１つのプロセッサは、
前記インタフェースを通じて前記基地局から、前記移動局の無線アクセス技術機能に関する情報の要求を受信し、
前記要求に応じて、前記基地局に、前記移動局の無線アクセス技術機能に関する情報を含むメッセージを送信し、ただし、前記メッセージに含まれる前記情報は、前記移動局が前記移動局と前記基地局との間の無線リンクで通信するために前記移動局により使用可能な複数の異なる種類の無線アクセス技術をサポートすることを指定し、
前記移動局が前記複数の異なる種類の無線アクセス技術のうちどれを使用するかを制御する制御メッセージを前記基地局から受信するように構成され、
前記制御メッセージは、前記複数の異なる種類の無線アクセス技術をリストにしたレコードと、前記複数の異なる種類の無線アクセス技術のうちそれぞれ対応するものを有効化又は無効化するための有効状態又は無効状態に設定可能な関連するフィールドとを含む、移動局。
【請求項１４】
前記複数の異なる種類の無線アクセス技術は、EUTRA（Evolved  Universal  Terrestrial  Radio  Access）技術、UMTS（Universal  Mobile  Telecommunications  System）技術、CDMA（Code  Division  Multiple  Access）技術、GSM（Global  System  for  Mobile）技術、WiMAX（Worldwide  Interoperability  for  Microwave  Access）技術、WLAN（Wireless  Local  Area  Network）技術、EDGE（Enhanced  Data  Rates  for  GSM  Evolution）技術、及びHRPD（High  Rate  Packet  Data）技術を有するグループから選択される、請求項１３に記載の移動局。
【請求項１５】
前記少なくとも１つのプロセッサは、複数の種類の無線アクセス技術と、対応する複数の種類の無線アクセス技術の割り当てられた機能とを識別するリストを前記基地局から更に受信するように構成され、
前記割り当てられた機能は、音声のみ、VoIP（voice-over-Internet  Protocol）が許可されないこと、VoIPが許可されることの中から選択される、請求項１４に記載の移動局。
【請求項１６】
前記受信した制御メッセージは、前記複数の異なる種類の無線アクセス技術のうち選択された１つ以上が前記移動局による使用のために有効化され、前記複数の異なる種類の無線アクセス技術のうち他の１つ以上が前記移動局による使用から無効化されることを指定する、請求項１４に記載の移動局。
【発明の詳細な説明】
【背景技術】
【０００１】
移動局が他の移動局又は有線ネットワークに結合された有線端末との通信を実行可能にするために、様々な無線アクセス技術が提案又は実施されている。無線アクセス技術の例は、3GPP（Third  Generation  Partnership  Project）により規定されたGSM（Global  System  for  Mobile  communications）及びUMTS（Universal  Mobile  Telecommunications  System）技術と、3GPP2により規定されたCDMA2000（Code  Division  Multiple  Access  2000）技術とを含む。CDMA2000は、HRPD（High  Rate  Packet  Data）無線アクセスネットワークと呼ばれる一種のパケット交換無線アクセスネットワークを規定している。
【０００２】
パケット交換無線アクセスネットワークを提供する他の最近の標準は、3GPPからのLTE（Long  Term  Evolution）である。LTEは、UMTS技術を拡張することを試みる。LTE標準はまた、EUTRA（Evolved  Universal  Terrestrial  Radio  Access）標準とも呼ばれる。EUTRA技術は、第４世代（4G）技術になると考えられ、無線ネットワークオペレータは、拡張サービスを提供するために第４世代技術に移行している。他の代替の4G無線技術は、IEEE802.16により規定されたWiMAX（Worldwide  Interoperability  for  Microwave  Access）である。他の無線技術も存在する。
【発明の概要】
【発明が解決しようとする課題】
【０００３】
概して、或る実施例によれば、基地局は、移動局の無線アクセス技術機能に関する情報の要求を送信する。基地局は、要求に応じて移動局の無線アクセス技術機能に関する情報を含むメッセージを受信し、メッセージに含まれる情報は、移動局が基地局と移動局との間の無線リンクで通信するために移動局により使用可能な少なくとも２つの異なる種類の無線アクセス技術をサポートすることを指定する。基地局は、移動局が少なくとも２つの異なる種類の無線アクセス技術のうちどれを使用するか、及び／又は特定の無線アクセス技術についての接続の種類（例えば、VoIP（voice-over-Internet  Protocol）、データのみ、音声のみ等）を制御することができる。
【０００４】
他の特徴及び別の特徴は、以下の詳細な説明、図面及び特許請求の範囲から明らかになる。
【図面の簡単な説明】
【０００５】
【図１】或る実施例を組み込んだ移動通信ネットワークの例示的な構成
【図２】或る実施例に従って実行される処理のメッセージフロー図
【図３】或る実施例による無線局のブロック図
【発明を実施するための形態】
【０００６】
いくつかの実施例について、図面を参照して説明する。
【０００７】
無線ネットワークオペレータは、第４世代（4G）無線ネットワークに移行している。１つのこのような種類の4G無線ネットワークは、3GPP（Third  Generation  Partnership  Project）により規定されたLTE（Long  Term  Evolution）無線ネットワークである。LTE標準はまた、EUTRA（Evolved  Universal  Terrestrial  Radio  Access）標準とも呼ばれる。他の代替の4G無線技術は、IEEE802.16により規定されたWiMAX（Worldwide  Interoperability  for  Microwave  Access）である。
【０００８】
移行の一部として、マルチモード移動局が異なる技術のアクセスネットワークの一方又は双方とシームレスに動作することができるように、無線ネットワークオペレータは、異なる技術のアクセスネットワークを展開する可能性がある。例えば、マルチモード移動局は、第１の種類の無線アクセス技術のアクセスネットワークから第２の異なる種類の無線アクセス技術のアクセスネットワークにハンドオフしてもよい。或いは、移動局は、異なる無線アクセス技術のアクセスネットワークの間から最初に起動するときに、セル選択を実行してもよい。或る例では、無線ネットワークオペレータは、HRPD（High  Rate  Packet  Data）アクセスネットワークとEUTRAアクセスネットワークとの双方を動作させてもよい。HRPDは、3GPP2により定められたCDMA（Code  Division  Multiple Access）2000標準により規定されている。
【０００９】
HRPDは、第三世代（3G）無線技術の例である。3G無線技術の他の例は、3GPPにより規定されたUMTS（Universal  Mobile  Telecommunication  System）技術である。3G無線技術の更に他の例は、3GPPにより規定されたEDGE（Enhanced  Data  Rates  for  GSM  Evolution）技術である。
【００１０】
他の無線技術の例は、3GPPにより規定されたGSM（Global  System  for  Mobile）、IEEE802.16により規定されたWiMAX（Worldwide  Inoperability  for  Microwave  Access）、及びIEEE802.11により規定されたWLAN（Wireless  Local  Area  Network）を含む。
【００１１】
他の例では、他の無線プロトコルが使用されてもよい。以下の説明では、HRPD及びEUTRA技術を使用する実装に言及が行われる。他の実装では、技術の他の組み合わせが使用されてもよい。
【００１２】
或る実施例によれば、無線ネットワーク（無線ネットワークの基地局等）が、マルチモード移動局の無線アクセス技術機能に関してマルチモード移動局に問い合わせることを可能にする技術又は機構が提供される。マルチモード移動局によりサポート可能な無線アクセス技術は、EUTRA、HRPD、UMTS、WiMAX、WLAN、GSM等のような前述の無線アクセス技術のいずれかを含んでもよい。問い合わせに応じて、マルチモード移動局は、マルチモード移動局の無線アクセス技術機能に関する情報を含むメッセージを基地局に送信する。メッセージに含まれる情報は、無線ネットワークと移動局との間の無線リンクで通信するために移動局により使用可能な異なる種類の無線アクセス技術を指定してもよい。マルチモード移動局によりサポートされる異なる種類の無線アクセス技術に関する情報を受信した後に、基地局は、少なくとも２つの異なる種類の無線アクセス技術のうち１つ以上のどれを移動局が使用するかを制御することができる。例えば、基地局は、移動局が複数の異なる種類の無線アクセス技術のうち第１のものを使用することを可能にし、複数の異なる種類の無線アクセス技術のうち第２のものを使用不可能にしてもよい。或いは、基地局は、移動局による複数の異なる種類の無線アクセス技術の全ての使用を可能にしてもよい。更に、基地局は、異なるハンドセット機能を異なる無線アクセス技術に割り当ててもよい（例えば、１つの種類では音声のみ、他の種類ではVoIP（voice-over-Internet  Protocol）、更なる種類ではデータのみ）。
【００１３】
或る実装による技術又は機構を使用することにより、基地局は、プロビジョニング機構等を通じて、移動局のマルチモードサポート情報を取得することができる。プロビジョニング機構の例は、CDMA標準により規定されたOTASP（Over  the  Air  Provisioning  Specification）に従うものである。他の実装では、基地局は、他の問い合わせ機構を使用してマルチモード移動局のマルチモードサポート情報を取得してもよい。基地局が移動局のマルチモード機能に関する情報を取得すると、基地局は、プロビジョニング機構又は他の機構等を通じて、移動局のアクセス機能を制御することができる。
【００１４】
図１は、EUTRAネットワーク100とHRPDネットワーク101とを含み、異なる移動通信ネットワークを含む例示的な構成を示している。EUTRA移動通信ネットワーク100は、EUTRAアクセスネットワーク102を含み、HRPDネットワーク101は、HRPDアクセスネットワーク104と、eHRPDアクセスネットワーク106とを含む。１つのEUTRAアクセスネットワーク102、１つのHRPDアクセスネットワーク104及び１つのeHRPDアクセスネットワーク106のみが図１に示されているが、典型的には、複数のEUTRAアクセスネットワーク、複数のHRPDアクセスネットワーク及び複数のeHRPD（evolved  HRPD）アクセスネットワークが存在する点に留意すべきである。eHRPD無線アクセスネットワークは、EUTRA無線アクセスネットワークと相互接続可能である。ここで用いられる“アクセスネットワーク”又は“無線アクセスネットワーク”という用語は、移動局がパケットデータネットワーク116のような目的のネットワークで提供されるサービスにアクセスするために、アクセスネットワークを通じて無線接続することを可能にするために使用される装置を示す。また、EUTRA及びHRPDネットワークのみが示されているが、他の実装は、他の種類又は更なる種類の無線ネットワーク（WiMAX、WLAN等）を含んでもよい。
【００１５】
EUTRA技術によれば、EUTRAアクセスネットワーク102は、一種の基地局であるeNodeB（enhanced  node  B）を含む。HRPDアクセスネットワーク104は、HRPD基地局を含み、eHRPDアクセスネットワーク106は、eHRPD基地局を含む。基地局は、無線リソース管理、移動局のモビリティを管理するモビリティ管理、トラヒックのルーティング等のタスクのうち１つ以上を実行してもよい。一般的に、“基地局”という用語は、いずれかの種類の無線ネットワークで使用されるセルラネットワーク基地局若しくはアクセスポイント、又は移動局と通信するいずれかの種類の無線送信機／受信機を示してもよい。“基地局”という用語はまた、基地局コントローラ又は無線ネットワークコントローラのような関連するコントローラを含んでもよい。“基地局”という用語は、フェムト基地局若しくはアクセスポイント、マクロ基地局若しくはアクセスポイント、又はピコ基地局若しくはアクセスポイントを示すことも考えられる。“移動局”は、電話ハンドセット、携帯可能コンピュータ、PDA（personal  digital  assistant）、又はヘルスモニタ、アラーム（attack  alarm）等のような埋め込み式装置を示してもよい。
【００１６】
図１に示すように、EUTRA移動通信ネットワーク100では、移動局108は、現在、EUTRAアクセスネットワーク102に無線接続している。次に、EUTRAアクセスネットワーク102は、サービングゲートウェイ110及びMME（mobility  management  entity）112を含む様々な構成要素に接続される。MME112は、EUTRAアクセスネットワーク102の制御ノードである。例えば、MME112は、アイドルモードの移動局のトラッキング及びページング手順の役目を果たす。MME112はまた、初期接続及びハンドオーバ時に移動局のサービングゲートウェイを選択する役目を果たす。MME112はまた、移動局のユーザを認証する役目を果たす。
【００１７】
サービングゲートウェイ110は、ベアラデータパケットをルーティングする。サービングゲートウェイ110はまた、異なるアクセスネットワーク間のハンドオーバ中にユーザプレーンのモビリティアンカー（mobility  anchor）として動作する。サービングゲートウェイ110はまた、移動局108とパケットデータネットワーク116（例えば、インターネット、様々なサービスを提供するネットワーク等）との間の接続を提供するパケットデータネットワーク（PDN：packet  data  network）ゲートウェイ114に接続される。
【００１８】
HRPD移動通信ネットワーク101では、移動局118は、現在、HRPDアクセスネットワーク104に無線接続している。次に、HRPDアクセスネットワーク104は、パケットデータサービングノード（PDSN：packet  data  serving  node）120に接続され、次に、PDSN120は、パケットデータネットワーク116に接続される。
【００１９】
また、HRPDネットワーク101とEUTRAネットワーク100との間の相互接続を可能にするために、移動局122に無線接続するeHRPDアクセスネットワーク106が提供される。移動局108、118及び112のそれぞれは、マルチモード移動局でもよい点に留意すべきである。次に、eHRPDアクセスネットワーク106は、HRPDサービングゲートウェイ（HSGW：HRPD  serving  gateway）124に接続される。HSGW124は、eHRPDアクセスネットワーク106からのeHRPDアクセスネットワークインタフェースを終端するエンティティである。HSGW124は、移動局から生じたパケットデータトラヒック又は移動局で終端するパケットデータトラヒックをルーティングする。HSGW124は、EUTRAネットワーク100と移動局との相互接続を提供する。相互接続機能は、モビリティのサポート、ポリシー制御及び課金、アクセス認証、ローミング等を含む。HSGW124は、EUTRAネットワーク100とeHRPDアクセスネットワーク106との間のシームレスな技術間のモビリティの転送をサポートする。
【００２０】
EUTRA、HRPD及びeHRPD標準（並びに他の標準）への言及は、現在の標準と時間と共に発展する標準とを示すことを意図する。EUTRA、HRPD又はeHRPD（又は他の標準）から発展した将来の標準は、異なる名前で呼ばれる可能性があることが想定される。“EUTRA”、“HRPD”又は“eHRPD”（又は他の標準）への言及は、このような後に発展した標準も同様にカバーすることが考えられる。また、前述のように、技術又は機構は、他の種類の無線プロトコルを使用するシステムにも適用可能である。
【００２１】
図２は、或る実施例による処理のメッセージフロー図である。基地局は、マルチモード移動局の無線アクセス技術機能を求める要求を送信することができる（202）。202での要求の送信は、移動局に関して実行されるプロビジョニング手順の一部でもよい。プロビジョニング手順は、移動局の様々なパラメータをプロビジョニング（提供）し、他のタスクを実行する。他の実装では、202で送信される要求は、基地局の他の動作中でもよい。
【００２２】
要求に応じて、移動局は、移動局の無線アクセス技術機能を含むメッセージを送信する（204）。メッセージは、例えば、EUTRA、HRPD、GSM、WiMAX、WLAN、UMTS、EDGE等から選択された、移動局によりサポートされる全ての無線アクセス技術を識別してもよい。移動局の無線アクセス技術機能を伝達するメッセージは、既存のメッセージでもよく、新たなメッセージでもよい。移動局の無線アクセス技術機能に関する情報は、メッセージ内に含まれるレコードに存在してもよい。
【００２３】
移動局の無線アクセス技術機能を含むメッセージを受信すると、基地局は、制御メッセージを移動局に送信してもよい（206）。制御メッセージは、移動局によりサポートされる異なる種類の無線アクセス技術のうち選択されたものを選択的に有効化又は無効化することができる。例えば、制御メッセージは、基地局と移動局との間で典型的に交換される他のメッセージの一部でもよい。或いは、206で送信される制御メッセージは、新たなメッセージでもよい。或る実装では、制御メッセージは、複数のビットを有するビットマップを含んでもよい。ビットマップのビットは、（204で通信されたメッセージで報告された通り）移動局によりサポートされる無線アクセス技術のうちそれぞれ対応するものを選択的に有効化又は無効化するために、有効状態又は無効状態に選択的に設定可能である。
或いは、制御メッセージは、様々な無線アクセス技術をリストにしたレコード、及び関連するフィールドを含んでもよい。フィールドは、無線リンクで通信するために移動局により使用可能な異なる無線アクセス技術のうちそれぞれ対応するものを有効化又は無効化するために、有効状態又は無効状態に選択的に設定可能である。
【００２４】
このように、無線オペレータは、206で送信された制御メッセージを使用して、移動局のアクセス機能を制御することができる。
【００２５】
図２は、或る実装において、基地局から移動局に送信（208）されてもよい他のメッセージ（システム優先度リスト）を更に示している。システム優先度リストは、システムにアクセスするために使用する複数の異なる種類の無線アクセス技術のうち１つを選択する際にマルチモード移動局を支援するための、異なる種類の無線アクセス技術のリストである。通常では、このようなシステム優先度リスト（CDMA標準により規定されたシステム優先度リスト等）で指定された全ての無線アクセス技術は、音声及びデータの双方をサポートするものとしてリストに記載されなければならない。しかし、或る実施例によれば、システム優先度リストは、異なる機能がシステム優先度リストに記載された異なる無線アクセス技術のそれぞれに関連付けられることを可能にする。例えば、１つの機能は、音声のみであり、対応する無線アクセス技術は、音声のみを通信するために使用される。他の機能は、VoIP（voice-over-Internet  Protocol）が許可されていないデータであり、これは、対応する無線アクセス技術がVoIPを有するデータに使用されないことを意味する。更に他の機能は、VoIPが許可されたデータであり、これは、対応する無線アクセス技術がVoIPを有するデータをサポートするために使用可能であることを意味する。
【００２６】
異なる種類の無線アクセス技術について異なる機能を指定可能にすることにより、無線ネットワークが移動局による異なる無線アクセス技術の使用を制御することを可能にする更なる柔軟性が提供される。
【００２７】
図３は、移動局（例えば、図１の移動局108、118又は122）又は基地局（例えば、図１のeNodeB、HRPD基地局又はeHRPD基地局）でもよい無線局300のブロック図である。無線局300は、記憶媒体304に接続されたプロセッサ（又は複数のプロセッサ）302を含む。機械可読命令306は、図２又は３に記載のタスクのような無線局300に関連する各タスクを実行するためにプロセッサ302で実行可能である。無線局300はまた、無線周波数（RF：radio  frequency）リンクのような無線リンクで通信するインタフェース308を含む。
【００２８】
機械可読命令306は、プロセッサ302での実行のためにロードされる。プロセッサは、マイクロプロセッサ、マイクロコントローラ、プロセッサモジュール若しくはサブシステム、プログラム可能集積回路、プログラム可能ゲートアレイ、又は他の制御若しくは計算装置を含んでもよい。
【００２９】
データ及び命令は、各記憶装置に格納される。記憶装置は、１つ又は複数のコンピュータ可読又は機械可読記憶媒体として実装される。記憶媒体は、半導体メモリ装置（ダイナミック又はスタティックランダムアクセスメモリ（DRAM又はSRAM）、消去可能及びプログラム可能読み取り専用メモリ（EPROM）、電気的消去可能及びプログラム可能読み取り専用メモリ（EEPROM）及びフラッシュメモリ等）、磁気ディスク（固定ディスク、フロッピーディスク及び取り外し可能ディスク）、他の磁気媒体（テープを含む）、光媒体（コンパクトディスク（CD）又はデジタルビデオディスク（DVD）等）、又は他の種類の記憶装置を含み、異なる形式のメモリを含む。前述の命令は、１つのコンピュータ可読又は機械可読記憶媒体に提供されてもよく、或いは、場合によっては複数のノードを有する大規模なシステムに分散された複数のコンピュータ可読又は機械可読記憶媒体に提供されてもよい点に留意すべきである。このようなコンピュータ可読又は機械可読記憶媒体は、物（又は製造物）の一部であると考えられる。物又は製造物は、如何なる製造された単一の構成要素又は複数の構成要素を示してもよい。
【００３０】
前述の説明では、ここに開示された対象の理解を提供するために、複数の詳細が示されている。しかし、これらの詳細の一部又は全部がない実装が行われてもよい。他の実装は、前述の詳細からの変更及び変形を含んでもよい。特許請求の範囲は、このような変更及び変形をカバーすることを意図する。
【図１】
0005524338.tif 000002
【図２】
0005524338.tif 000003
【図３】
0005524338.tif 000004